(57)【要約】【課題】  人工乳首の作成が簡易に行えるようにした人工乳首の作成方法及び作成キットを提供することにある。【解決手段】  人工乳首１の作成方法であって、乳首転写用の第一樹脂５３を、半硬化状態で成形容器体内に準備する工程と、第一樹脂５３を乳首部に押し付けて凹状に転写して雌型部分８００を形成する工程と、乳首近似色に着色した第二樹脂５４を凹状に転写された雌型部分８００に注入等をする工程と、第二樹脂５４が硬化した後、硬化した第二樹脂５４を人工乳首１として凹状の雌型部分８００から剥離する工程と、を含むことを特徴とする。【選択図】  図７
2013000333.tif 000002
【特許請求の範囲】
【請求項１】
現存する乳首とその周辺の輪状部からなる乳首部の形態を軟質樹脂で成形する人工乳首の作成方法であって、
印象材の印象主剤に印象硬化剤を混合した乳首転写用の第一樹脂を、半硬化状態で成形容器体内に準備する工程と、
その成形容器体の容器開口部から露出した前記第一樹脂の露出面を、前記乳首部に押し付けてその第一樹脂が硬化するまで保持して、その露出面に前記乳首部の外形を凹状に転写して雌型部分を形成する工程と、
成形材の軟質樹脂を乳首近似色に着色した成形主剤に成形硬化剤を混合した流動性を有する第二樹脂を、前記雌型部分に注入又は積層する工程と、
その第二樹脂が硬化した後、その硬化した第二樹脂を人工乳首として前記雌型部分から離型する工程と、
を含むことを特徴とする人工乳首の作成方法。
【請求項２】
現存する乳首とその周辺の輪状部からなる乳首部の形態を軟質樹脂で成形する人工乳首の作成キットであって、
印象材における印象主剤を収容する第一容器と、
前記印象主剤と混合して使用する印象硬化剤を収容する第二容器と、
成形材における成形主剤を収容する第三容器体と
前記成形主剤と混合して使用する成形硬化剤を収容する第四容器体と、
前記印象主剤と前記印象硬化剤とを混合して乳首転写用の第一樹脂を収容するカップ状の成形容器体と、を備えたことを特徴とする人工乳首の作成キット。
【請求項３】
前記第一容器及び第二容器を印象材容器類とし、一方、前記第三容器体及び第四容器体を成形材容器類とし、該成形材容器類と前記印象材容器類とは外観色が異なるものとしたことを特徴とする請求項１又は２に記載の人工乳首の作成キット。
【発明の詳細な説明】
【技術分野】
【０００１】
本発明は、乳首喪失時のための人工乳首の作成方法及びその作成キットに関する。
【背景技術】
【０００２】
従来、乳がん等において乳房を切除した場合、残る片方の乳房との外観的並びに重量的な左右のバランスなどを補うために外科的な乳房再建が行われている。
【０００３】
この乳房再建は、外科手術によって自家組織を移植したり、人工補綴物（インプラント）を乳房欠損個所に埋め込むようにしている。さらに、この乳房再建部位には、乳首（乳輪を含む）を補うために、一例として別体で形成した人工乳首が使用されている（特許文献１等）。
【先行技術文献】
【特許文献】
【０００４】
【特許文献１】特表平１０―５０２００７号公報
【発明の概要】
【発明が解決しようとする課題】
【０００５】
しかしながら、このような人工乳首を製作するには、専門業者に頼まざるを得ないのが現状であって、個人として簡単にその作成が行えるものの提案が望まれている。
【０００６】
本発明の課題は、人工乳首の作成が簡易に行えるようにした人工乳首の作成方法及びその作成キットを提供することにある。
【課題を解決するための手段】
【０００７】
上記課題を解決するために、本発明の人工乳首の作成方法は、現存する乳首とその周辺の輪状部からなる乳首部の形態を軟質樹脂で成形する人工乳首の作成方法であって、印象材の印象主剤に印象硬化剤を混合した乳首転写用の第一樹脂を、半硬化状態で成形容器体内に準備する工程と、その成形容器体の容器開口部から露出した前記第一樹脂の露出面を、前記乳首部に押し付けてその第一樹脂が硬化するまで保持して、その露出面に前記乳首部の外形を凹状に転写して雌型部分を形成する工程と、成形材の軟質樹脂を乳首近似色に着色した成形主剤に成形硬化剤を混合した流動性を有する第二樹脂を、前記雌型部分に注入又は積層する工程と、その第二樹脂が硬化した後、その硬化した第二樹脂を人工乳首として前記雌型部分から離型する工程と、を含むことを特徴とする。
【０００８】
上記構成とすることにより、成形容器体内での第一樹脂は、自由な流動が制限された半硬化状態（重力によりある程度、流動変形する又は力が加わらないと実質上流動変形しない場合のいずれも含む）で、その取扱いが容易で転写作業がしやすい。
【０００９】
また、本発明の人工乳房の作成キットは、現存する乳首とその周辺の輪状部からなる乳首部の形態を軟質樹脂で成形する人工乳首の作成キットであって、印象材における印象主剤を収容する第一容器と、前記印象主剤と混合して使用する印象硬化剤を収容する第二容器と、成形材における成形主剤を収容する第三容器体と、前記成形主剤と混合して使用する成形硬化剤を収容する第四容器体と、前記印象主剤と前記印象硬化剤とを混合して乳首転写用の第一樹脂を収容するカップ型の成形容器体と、を備えることにより、上記の人工乳首の作成方法のための各種機能品を、例えば一つの箱に収容することによって簡易にまとまった作成キットを提供できる。
なお、第一容器又は第二容器が前記成形容器体に兼用されてもよい。
【００１０】
また、人工乳首の作成キットにおいて、第一容器及び第二容器を印象材容器類とし、一方、第三容器体及び第四容器体を成形材容器類とし、該成形材容器類と前記印象材容器類とは外観色を異なるものとすることにより、外観色の違いにより印象材と成形材とを容易に識別でき、印象材と成形材との誤使用が生じにくい。
【図面の簡単な説明】
【００１１】
【図１】着用者の乳房欠損個所の乳房再建部位に貼りつける人工乳首を示す図である。
【図２】人工乳首を作成するための作成キットを示す図である。
【図３】作成キットにおける第一容器の形態を示す図である。
【図４】ポットライフ内での半硬化状態を説明する第一容器の姿勢を示す図である。
【図５】カップ型の第一容器を示す図である。
【図６】人工乳首の作成工程を示す図である。
【図７】図６の人工乳首の作成工程の続きの工程を示す図である。
【図８】人工乳首を乳房再建部位に貼りつける状態を示す図である。
【図９】乳房再建部位に貼りつけられた人工乳首を外す状態を示す図である。
【図１０】カップ型の第一容器の他の例であるテーパー状の容器による人工乳首の作成例を示す図である。
【図１１】カップ型の第一容器の他の例であるボトル状の容器を示す図である。
【図１２】第一容器による雌型部分の他の転写例を示す図である。
【図１３】図１２の雌型部分による人工乳首の作成例を示す図である。
【図１４】第一容器による雌型部分の他の転写例を示す図である。
【発明を実施するための形態】
【００１２】
以下、図面を参照しながら本発明の実施の形態について説明する。図１は着用者の乳房欠損個所１００の乳房再建部位２００に貼りつける人工乳首１を示す図である。また、図２は人工乳首１を成形するための作成キット２の全体を示す図である。
【００１３】
図１において、乳がん等において乳房を切除した後の胸部における乳房欠損個所１００を補うための乳房再建は、外科手術によって自家組織を移植したり、例えばシリコーンゴムからなる人工補綴物（インプラント）を乳房欠損個所１００に埋め込むようにして乳房再建部位２００とする。このような乳房再建部位２００には、一般に乳首がないため、そこに貼り付けられるように、乳首部１ａ、輪状部（乳輪部）１ｂを含む人工乳首１を作成する。
【００１４】
このための人工乳首１の作成キット２は、図２に示すように、上方開口側に開閉可能に設けられる開閉蓋３ａを有する方形箱状等の箱（収納箱）３内に、軟質樹脂であって型取り用の印象材を収容する印象材容器類４と、軟質樹脂である成形材を収容する成形材容器類５と、型取り時に使用する離型剤３００を収容する補助材容器６と、スプーンなどの攪拌混合棒７などを収納している。
【００１５】
印象材に使用する軟質樹脂は、室温加硫型のシリコーンゴム、いわゆる主剤（ベースポリマー）と硬化剤（キャタリスト）との混合による２液付加反応型ＲＴＶシリコーンゴムを使用している。この２液付加反応型ＲＴＶシリコーンゴムの印象主剤５１と印象硬化剤５２のために、印象材容器類４として、第一容器１４及び第二容器２４がそれぞれ別体形成されており、この第一容器１４に印象主剤５１が、第二容器２４に印象硬化剤５２がそれぞれ収められている。
【００１６】
印象材容器類４としての第一容器１４には、型取り使用前にその中に印象主剤５１が収容されるが、型取り時には第一容器１４内の印象主剤５１に対して第二容器２４の印象硬化剤５２を所定割合で配合して混合させて得られる第一樹脂５３（図４）を準備するカップ型の成形容器体として使用される。なお、第二容器２４を成形容器体としてもよく、要するに第一容器１４若しくは第二容器２４の何れか一方が成形容器体とされる。
ただし、第一容器１４又は第二容器２４とは別の成形容器体を用意して、これに第一樹脂５３を収容してもよい。
【００１７】
第一容器１４の形態を詳細に説明する。図３に示すように、第一容器１４（成形容器体）における容器開口部１４ａの口径１４０（言い換えれば開口面積）は、第一容器１４の中に準備収容される第一樹脂５３の露出面５３ａ（図４）に、図１に示す現存する乳首４０１とその周辺の輪状部（乳輪部）４０２からなる乳首部の形態を転写することができる範囲に設定される。例えば現存する乳首部（乳首４０１及び輪状部４０２）の外縁とほぼ一致する口径（開口面積）１４０を有する第一容器１４を使用することができる（この場合は現存する乳首部を転写した結果生じる凹部（雌型部分）８００の開口縁まで満たすように第二樹脂５４が充填される）。あるいは現存する乳首部の外縁より大きな口径（開口面積）１４０を有する第一容器１４を用いることができ、その場合、現存する乳首部を転写した結果、生じる凹部（雌型部分）８００の開口縁まで至らないレベルまで第二樹脂５４を充填して、現存する乳首部とほぼ同一サイズの人工乳首１を成形することもできるが、その凹部（雌型部分）８００の開口縁まで満たすように第二樹脂５４を充填すれば、現存する乳首部より大きな外形を有する人工乳首１を作成することができる。
【００１８】
このような成形容器体としての第一容器１４を使用して、乳首４０１及び輪状部４０２からなる乳首部を第一樹脂５３に転写可能としている。
【００１９】
そして、この転写時での第一樹脂５３は、印象主剤５１と印象硬化剤５２との混合の開始時から、混合物である第一樹脂５３がある程度の粘度と流動性を有する状態にあるポットライフ（可使時間）内で使用されている。
【００２０】
このポットライフ内においては、図４に示すように、第一容器１４の容器開口部１４ａを、該第一容器１４が鉛直方向にそった姿勢から、例えば斜め上方、水平、斜め下方へ姿勢を変更しても、第一容器１４内から第一樹脂５３がある程度の粘度を有するために流れ出にくく、かつ、第一樹脂５３に現存する乳首４０１とその周辺の輪状部４０２からなる乳首部を押し当てた状態で、第一樹脂５３が、乳首４０１及び輪状部４０２からなる乳首部に押されて流動変形し、乳首４０１及び輪状部４０２の外形を凹状に転写することができる。この状態が第一樹脂５３の半硬化状態の典型例である。
【００２１】
また、第一容器１４は、例えばポリエチレン、アクリル、ポリスチレン、ポリプロピレン、ＰＥＴ樹脂（透明質）などで成形されたものである。
【００２２】
図２に戻って、成形材に使用する軟質樹脂として、２液付加反応型ＲＴＶシリコーンゴムを使用している。この２液付加反応型ＲＴＶシリコーンゴムの成形主剤６１と成形硬化剤６２とを収容するために、成形材容器類５として、第三容器３５、３５ａ及び第四容器４５、４５ａがそれぞれ別体に形成されており、それら第三容器３５、３５ａに成形主剤６１、第四容器４５、４５ａに成形硬化剤６２が収められている。
【００２３】
第三容器３５、３５ａ内のそれぞれの成形主剤６１は、予め異なる色の乳首近似色にそれぞれ着色されている。この着色には、一般的な着色剤（付加型液状シリコーンゴム用）としての顔料が使用される。第三容器３５、３５ａ（及び硬化のための第四容器４５、４５ａ）として異なる乳首近似色のものが用意されているのは、年令や個人差等による残存する乳首部の色の違いを考慮して、できるだけそれに近い色に人工乳首の色を合わせるためである。
【００２４】
また、第一容器１４、第二容器２４、第三容器３５、３５ａ、第四容器４５、４５ａの基本形態としては、図５に示すように、有底筒状に形成されるカップ体８の上方開口側の雄ネジ部８１に、キャップ体８ａの雌ネジ部８２がねじ込み式に装着されるカップ型である。
【００２５】
また、印象材に使用する軟質樹脂と、成形材に使用する軟質樹脂との誤使用を防止するために、印象材容器類４としての第一容器１４及び第二容器２４との外観色を同色にし、一方、成形材容器類５としての第三容器３５、３５ａ及び第四容器４５、４５ａとの外観色を同色にし、さらに、印象材容器類４と成形材容器類５とは外観色を異なる色として識別可能としている。
【００２６】
本例では、箱３の開閉蓋３ａを開けた際に直ちに認識できるように各容器におけるキャップ体８ａの色を色分けしている。
【００２７】
人工乳首１を作成するための印象剤及び成形材の軟質樹脂である合成樹脂としてのシリコーンゴムの例として、「米国、ファクター２社製：ＶＳＴ−３０、ＶＳＴ−５０、ＶＳＴ−５０Ｆ、ＶＳＴ−５０ＨＤ、Ａ−２０００」、また、「東レ・ダウコーニング社製：ＳＨ９５５５ＲＴＶ、９５５６ＲＴＶ、ＭＤＸ４−４２１０」、また、「モメンティブ・パフォーマンス・マテリアルズ・ジャパン社製：ＴＳＥ３４５３、ＴＳＥ３４５６Ｔ、ＴＳＥ３４７５Ｔ、ＴＳＥ３４３１、ＹＥ５６２６」、また、「信越化学工業社製：ＫＥ−１３０８、ＫＥ−１３００Ｔ、ＫＥ−１３１０ＳＴ、ＫＥ−１３１４−２、ＫＥ−１３１６、ＫＥ−１３１０ＳＴ、ＫＥ−１６００、ＫＥ−１６０３（Ａ／Ｂ）、ＫＥ−１６０６、ＳＩＭ―２６０、ＳＩＭ―２４０」、また、「旭化成ワッカーシリコーン社製：ＤＥＮＴＡＬ  ＡＤＳ９３１  Ａ／Ｂ、Ｍ４６００Ａ／Ｂ、Ｍ４６４１Ａ／Ｂ、Ｍ４６４４Ａ／Ｂ、Ｍ４６４５Ａ／Ｂ、Ｐ７６１３Ａ／Ｂ、Ｐ７６６４Ａ／Ｂ」などを挙げることができる。室温（常温とも言われ、その温度は日本工業規格（ＪＩＳＺ８７０３）では２０℃±１５℃とされている）でゴム状に硬化することにより人工乳首１が得られる。
【００２８】
また、顔料の例として、「米国、ファクター２社製：ＦＥ−２３５、ＦＥ−２０２、ＦＥ−２００、ＦＥ−２２８」、「信越化学工業社製：Ｋ−ＣＯＬＯＲ−Ｒ２０、Ｋ−ＣＯＬＯＲ−Ｗ１０、Ｋ−ＣＯＬＯＲ−ＢＬ７０、Ｋ−ＣＯＬＯＲ−Ｙ４０」、または、「モメンティブ・パフォーマンス・マテリアルズ・ジャパン社製：ＭＥ５０−Ｍ、ＭＥ５０−Ｒ２、ＭＥ５０−Ｗ、ＭＥ５０−Ｙ」などを挙げることができる。
【００２９】
人工乳首１は次のように製作される。図６に示すように、第一容器１４内の印象主剤５１に第二容器２４の印象硬化剤５２を、所定配合で充填し（印象材の充填工程、図６（ｂ））、しかる後、混合攪拌棒７を用いて手動混合して第一容器１４内にて第一樹脂５３を準備する（印象材の準備工程、図６（ｃ））。この例の第一容器は円筒状に形成される。
【００３０】
この準備工程において、混合を始めてから所定時間経って、ポットライフ内で半硬化状態とされる第一樹脂５３が、その成形容器体の開口部（容器開口部１４ａ）から露出した状態で、その露出面５３ａを、現存する乳首４０１及び輪状部４０２からなる乳首部に押し付けてポットライフが過ぎるまで保持して第一樹脂５３を硬化させることにより、その露出面５３ａに乳首４０１と輪状部４０２からなる乳首部の外形を凹状に転写する工程を行って雌型部分８００を形成する（乳首部の転写工程、図６（ｄ）、（ｅ））。なお、第一容器１４内の第一樹脂５３はポットライフ内である程度の粘度を保持するが流動性を失っていないため、第一容器１４を垂直（鉛直）状態から例えば斜め下方へ傾けると第一樹脂５３が乳首部の周辺の肌面に沿って広がるように流動し、この際、容器開口部１４ａが乳首部の表面に押し付けられることにより、第一樹脂５３が第一容器１４から漏れ出ることがない。
【００３１】
次に、図７に示すように、雌型部分８００が形成された成形容器体（第一容器１４）を乳首部から離脱させ（図７（ａ））、この成形容器体（第一容器１４）内の第一樹脂５３の雌型部分８００に第二樹脂５４を、注入又は積層（肉盛り）する工程を行う。この第二樹脂５４は、乳首近似色に着色された第三容器３５内の成形主剤６１に、第四容器４５内の成形硬化剤６２を混合し、しかる後、混合攪拌棒７を用いて手動混合して調整される。これによって成形容器体内に第二樹脂５４を準備する（成形材の準備工程、図７（ｂ））。
【００３２】
その調整された第二樹脂５４を凹状に転写された雌型部分８００に注入等する。（成形材の注入工程、図７（ｃ））。この注入状態は、第一容器１４を縦軸周りに回し動かすようにして、第二樹脂５４を周縁部に拡散することにより、薄い外縁部を作るとともに中央部が凹状に湾曲した裏面を備える人工乳首１とする。その後、かかる第二樹脂５４が硬化した後に硬化物として取り出すことによって、乳首部１ａ、輪状部（乳輪部）１ｂを含む人工乳首１が製作される（成形品の取り出し工程、図７（ｄ））。
【００３３】
その後は、図８に示すように、裏面に粘着剤９００が塗布された人口乳首１を乳房再建部位２００に貼り付ける。また、図９に示すように、剥離剤９０１を用いて人工乳首１を乳房再建部位２００から離脱することが可能となる。なお、粘着剤としては、「東レ・ダウコーニング社製：ＭＤ７−４５０２  ＳＩＬＩＣＯＮＥ  ＡＤＨＥＳＩＶＥ、ＭＤ７−４６０２  ＳＩＬＩＣＯＮＥ  ＡＤＨＥＳＩＶＥ」、「ホリスター社製：Ｍｅｄｉｃａｌ  Ａｄｈｅｓｉｖｅ  Ｓｐｒａｙ」、「ＡＤＭ  Ｔｒｏｎｉｃｓ社製：ＰＲＯＳ―ＡＩＤＥ」、「Ｄａｒｏ社製：Ａｄｈｅｓｉｖｅ」などが挙げられる。また、剥離剤としては、「スミス・アンド・ネフュー社製：リムーブ」、「アルケア社製：プロケアリムーバー」、「住友スリーエム社製：皮膚用リムーバー」などが挙げられる。
【００３４】
（実施例）
人工乳首１の作成キット２の例としては、第一容器１４に、着色のために選択された上述の顔料を予め配合した印象主剤５１としてのシリコーンゴム（旭化成ワッカーシリコーン社製：ＤＥＮＴＡＬ  ＡＤＳ９３１  Ａ剤）を、第二容器２４に、印象硬化剤５２としてシリコーンゴム（旭化成ワッカーシリコーン社製：ＤＥＮＴＡＬ  ＡＤＳ９３１  Ｂ剤）を、第三容器３５、３５ａに、成形主剤６１としてのシリコーンゴム（米国、ファクター２社製：ＶＳＴ−３０  主剤）を、第四容器４５、４５ａに、成形硬化剤６２としてシリコーンゴム（米国、ファクター２社製：ＶＳＴ−３０  硬化剤）を、補助材容器６に離型材３００としてのワセリンなどを、所定量充填した状態で、それぞれを箱３内に収納して作成キット２（図２）として準備した。
【００３５】
この人工乳首１の作成キット２を使用した例としては、成形容器体としての第一容器１４内に、印象主剤５１としてのシリコーンゴム（旭化成ワッカーシリコーン社製：ＤＥＮＴＡＬ  ＡＤＳ９３１  Ａ剤）１００重量％に対して、印象硬化剤５２としてのシリコーンゴム（旭化成ワッカーシリコーン社製：ＤＥＮＴＡＬ  ＡＤＳ９３１  Ｂ剤）を１０〜１００重量％として、充填混合して第一樹脂５３を調整した。
【００３６】
そして、第一容器１４内の第一樹脂５３に、補助材容器６の離型剤３００としてのワセリンを塗った乳首４０１と輪状部４０２の外形を凹状に転写して雌型部分８００を形成した。
【００３７】
つぎに、成形主剤６１としてのシリコーンゴム（米国、ファクター２社製：ＶＳＴ−３０  主剤）１００重量％に対して、成形硬化剤６２としてのシリコーンゴム（米国、ファクター２社製：ＶＳＴ−３０  硬化剤）を１０重量％として、充填混合して第二樹脂５４を調整した。
【００３８】
その後、雌型部分８００にワセリンを塗った後に、第二樹脂５４を雌型部分８００に注入又は積層（肉盛り）した。そして第二樹脂５４の硬化後に硬化物として取り出すことにより人工乳首１を製作した。
【００３９】
なお、成形容器体として第一容器１４は、円筒状に限定されず、図１０（ａ）に示すようにテーパー筒状に形成されるもの（図示しない蓋で密閉される）でもよい。なお、図１０（ｂ）は、このテーパー筒状の第一容器１４を使用し、その雌型部分８００に成形材を注入した後の人工乳首１の作成状態を示している。この図に示すように、人工乳首１の裏面が凹曲面でなく、平坦面とされてもよく、図８の粘着剤によりその平坦面が乳首再建部位に沿うように変形しつつ接着される。また、カップ型の第一容器１４、第二容器２４、第三容器３５、３５ａ及び第四容器４５、４５ａに代えて、図１１に示すように、有底筒状の胴部９ａ上端から肩部９ｂを介して雄ネジ筒部９１となる口部９ｃを有するボトル体９と、雌ネジ部９２を有するキャップ体９ｄとから構成される、ボトル体９の口部９ｃにキャップ体９ｄがねじ込み式で装着されるボトル型としてもよい。
【００４０】
このボトル型の容器形態では、印象主剤５１と印象硬化剤５２とを混合するための容器としては、乳首４０１及び輪状部４０２の外形を凹状に転写可能とする第一樹脂５３を準備するために別途、カップ体８と同形状のものを成形容器体として用意するとよい。
【００４１】
なお、図１２に示すように、乳首４０１及び輪状部４０２から構成される乳首部１の外縁より大きな口径を有する第一容器１４を乳首部に押し付ける場合、乳首部とその周辺を含む形状が第一樹脂５３に転写される。その転写された凹部８５０に第二樹脂５４を注入等することで、乳首部の輪状部より一回り大きな人工乳首１を作成することもできる。
【００４２】
更には、図１３に示すように、その凹部８５０の全部を満たすのではなく、周辺部を除く部分に第二樹脂５４を注入等することにより、現存する乳首部と同様なサイズの人工乳首１とすることもできる。
【００４３】
この際、第二樹脂５４を凹部８５０に注入等した後、第一容器１４を縦軸周りに回し動かすようにして、第二樹脂５４を周縁部に拡散することにより、薄い外縁部を作るとともに中央部が凹状に湾曲した裏面を備える人工乳首１とすることもできる。
【００４４】
更に、図１４に示すように、ある程度粘度の高い状態の第一樹脂５３（流動性がほとんどない）を乳首部に押し付けて、第一容器１４の容器開口部１４ａの内周側を除く部分に転写凹部８５１が形成されるようにし、ここに第二樹脂５４を注入等して、人口乳首１を作成することも可能である。
【００４５】
以上、本発明の実施の形態を説明したが、これらはあくまで例示にすぎず、本発明はこれらに限定されるものではなく、現存する乳首部は着用者自身や他人のものであってもよい。また、各々の実施の形態は、本発明の説明のために一つ実施形態の部分として述べられている構成を、別の実施の形態において利用し、更にこれらを組み合わせて別の実施の形態とすることができる。
【符号の説明】
【００４６】
１                  人工乳首
２                  作成キット
１４                第一容器
２４                第二容器
３５、３５ａ        第三容器
４５、４５ａ        第四容器
５１                印象主剤
５２                印象硬化剤
５３                第一樹脂
５４                第二樹脂
６１                成形主剤
６２                成形硬化剤
【図１】
2013000333.tif 000003
【図２】
2013000333.tif 000004
【図３】
2013000333.tif 000005
【図４】
2013000333.tif 000006
【図５】
2013000333.tif 000007
【図６】
2013000333.tif 000008
【図７】
2013000333.tif 000009
【図８】
2013000333.tif 000010
【図９】
2013000333.tif 000011
【図１０】
2013000333.tif 000012
【図１１】
2013000333.tif 000013
【図１２】
2013000333.tif 000014
【図１３】
2013000333.tif 000015
【図１４】
2013000333.tif 000016